(57)【特許請求の範囲】
【請求項１】
ユーザ端末とはネットワークを介して通信接続されるセンター処理装置であって、
印刷装置が設置される複数の地域に点在する各店舗の所在地とその店舗の種類とを含む店舗情報を記憶する記憶手段と、
上記ユーザ端末からの依頼要求を受信し、その受信の中に車中であることを示す情報が含まれているか否かを判別する判別手段と、
上記判別で車中であることを示す情報が含まれていると判別された際は、上記複数種類の店舗情報の内で上記車中である場合に適した特定種類の店舗情報を上記設置情報記憶手段から検索する検索手段と、
上記検索手段で検索された店舗情報を店舗候補として上記ユーザ端末に対して送信する候補送信手段と、
上記店舗候補を送信した上記ユーザ端末からの候補指定を受信し、その指定候補の店舗に設置される印刷装置に対して、上記ユーザ端末から送信された印刷データを転送する転送手段と、
を具備したことを特徴とするセンター処理装置。
【請求項２】
上記判別で車中であることを示す情報が含まれていないと判別された際は、上記ユーザ端末の現在位置の近くの所在地の店舗情報を上記設置情報記憶手段から検索する第２検索手段と、を具備し、
上記候補送信手段は、上記検索手段あるいは上記第２検索手段で検索された店舗情報を店舗候補として上記ユーザ端末に対して送信することを特徴とする請求項１記載のセンター処理装置。
【請求項３】
上記転送手段は、上記印刷データの転送の際に、上記ユーザ端末に対して送信したパスワード情報と同一のパスワード情報を上記印刷装置に対して転送するようにしたことを特徴とする請求項１記載のセンター処理装置。
【発明の詳細な説明】
【０００１】
【発明の属する技術分野】
本発明は、ユーザ端末とはネットワークを介して通信接続されるセンター処理装置に関する。
【０００２】
【従来の技術】
最近では、計時機能、通信機能（ＰＨＳ機能やファクシミリ機能等）等の機能を備えた小型の携帯情報端末であるＰＤＡ（Personal Digital Assistants）が普及し始め、ユーザーは、携帯情報端末（ユーザ端末）により文書等の各種データの作成や処理を、時間や場所に左右されることなく容易に行えるようになった。
【０００３】
また、上記ユーザ端末は、ＰＨＳ機能やファクシミリ機能等の通信機能を備えることで、通信機能を備えた外部装置（サービスセンター）とのデータのやり取りや各種の情報を提供するネットワークからの情報の提供等を受けることも可能である。ＰＨＳ機能を用いた場合は、自身の位置を更新登録する位置登録機能が備わっており、ＰＤＡの位置情報はＰＨＳ側の親局であるＰＨＳサービス制御局により監視され、ユーザ端末の位置が分かるようになっている。
【０００４】
【発明が解決しようとする課題】
しかし、上記サービスセンターが上記ユーザ端末に対してネットワークを介して提供できる情報は限られており、またユーザ端末からの依頼要求に対応して検索した候補を元にその選択先の装置に対してデータ転送できるものではなかった。
【０００５】
本発明の課題は、ユーザが印刷を希望した場合に、その印刷先として最適な候補を提供し、その候補の中で任意に選択された候補先に対して自動的にデータ転送を行なえるようにすることである。
【０００６】
【課題を解決するための手段】
請求項１記載の発明は、ユーザ端末とはネットワークを介して通信接続されるセンター処理装置であって、印刷装置が設置される複数の地域に点在する各店舗の所在地とその店舗の種類とを含む店舗情報を記憶する記憶手段と、上記ユーザ端末からの依頼要求を受信し、その受信の中に車中であることを示す情報が含まれているか否かを判別する判別手段と、上記判別で車中であることを示す情報が含まれていると判別された際は、上記複数種類の店舗情報の内で上記車中である場合に適した特定種類の店舗情報を上記設置情報記憶手段から検索する検索手段と、上記検索手段で検索された店舗情報を店舗候補として上記ユーザ端末に対して送信する候補送信手段と、上記店舗候補を送信した上記ユーザ端末からの候補指定を受信し、その指定候補の店舗に設置される印刷装置に対して、上記ユーザ端末から送信された印刷データを転送する転送手段と、を具備したことを特徴とする。
【０００８】
【発明の実施の形態】
以下、図を参照しつつ本発明に係わるデータ転送出力システムの実施の形態の詳細を説明する。
【０００９】
［第１の実施の形態］
本第１の実施の形態では、携帯情報端末としてＰＤＡ１０を、ＰＤＡ１０の位置情報を監視する装置としてＰＨＳセンター４０を適用するものとする（尚、ＰＤＡ１０が車中にある場合にはＧＰＳユニット３の位置情報でＰＤＡの位置を把握するようにしてもよい）。
【００１０】
先ず、本第１の実施の形態の構成について説明する。
【００１１】
図１は、本第１の実施の形態に係わるデータ転送出力システムの全体の概略構成を記載したブロック図である。
【００１２】
本実施の形態に係わるデータ転送出力システムは、車の電子制御装置１、ＰＤＡ１０、サービスセンター２０、及び印刷サービスを提供する各種店舗にある印刷装置３０、ＰＨＳセンター４０、印刷装置３０とサービスセンター２０をつなぐネットワーク２４、ＰＨＳセンター４０側の基地局４１などからなる。
【００１３】
車の電子制御装置１は、車に搭載されている各種の電子制御装置の内の本発明の実施の形態に係わる部分に関する電子制御装置で、ＧＰＳユニット３を監視制御する電子制御装置であり、演算処理機能及びＰＤＡ１０等との近距離での通信機能を備え、ＰＤＡ１０とデータ通信を行うことが可能である（車の電子制御装置１の詳細は後述図２に記載）。
【００１４】
ＰＤＡ（Personal Digital Assistants）１０は、キー入力やぺン入力によりデータの入力及び作成が可能な文書作成機能、時計機能、スケジューラ等の個人データの管理機能（ＰＩＭ機能）やＰＨＳ機能等の通信機能、等を備えたユーザーが携帯する小型の携帯情報端末で、近距離での車の電子制御装置１との通信機能も備える（ＰＤＡ１０の詳細は後述図３に記載）。
【００１５】
サービスセンター２０は、地域に点在する印刷装置３０を設置した各種店舗及び当該店舗での印刷サービスに関する情報のデータベース２３を備え、ユーザーのＰＤＡ１０からの印刷要求に応じて適した印刷装置３０を選択して、ユーザーがその中から指定した当該印刷装置３０に文書データを送信して印刷装置３０に印刷させる（サービスセンター２０の詳細は後述図４に記載）。また、サービスセンター２０は、暗証データを作成し、ＰＤＡ１０と印刷装置３０の双方に送信する。
【００１６】
印刷装置３０は、地域に点在する印刷サービスを提供する各種店舗（例えば、コンビニやガソリンスタンド等）に設置され、ユーザーからの印刷データを受信して印刷出力する装置で、このとき、ＰＤＡ１０からＰＨＳセンター４０に送られた印刷データは、ＰＨＳセンター４０からサービスセンター２０を経由して（或いは経由せずに直接）印刷装置３０に送信される（このとき、暗証データは、サービスセンター２０からＰＤＡ１０と印刷装置３０にそれぞれ送られる）。そして、印刷出力された文書は、印刷サービスを頼んだユーザーが当該店舗に規定の料金を払って受け取る。但し、暗証データの作成を行う場合には、受け渡しの際、印刷装置３０側及びＰＤＡ１０のユーザー側がそれぞれサービスセンター２０から受けた暗証データ（パスワード等）が一致するかどうかの確認を行う。
【００１７】
ＰＨＳセンター４０は、ＰＤＡ１０からの電波を受信するために多数設置された基地局４１の親局となるＰＨＳサービス制御局で、ＰＨＳのネットワーク機能の一つである位置登録機能により携帯情報端末であるＰＤＡ１０の位置情報を監視し、また、地域に分散設置されている基地局４１を介して、ＰＤＡ１０からの受信データをサービスセンター２０に送信、或いはサービスセンター２０からのデータをＰＤＡ１０に送信する（但し、印刷データは、サービスセンター２０に送信せずに、直接、印刷装置３０に送信するようにしてもよい）。
【００１８】
図２は、本実施の形態に係わるデータ転送出力システムの構成要素の１つである車の電子制御装置１の構成の概略を記載したブロック図である。
【００１９】
車の電子制御装置１は、ＣＰＵ２、ＧＰＳユニット３、表示部４、入力部５、ＲＡＭ６、ＲＯＭ７、記憶媒体８ａを備えた記憶装置８、通信部９、などから構成されており、これらの各構成装置はバス１ａを介して相互に接続されている。
【００２０】
ＣＰＵ（Central Processing Unit）２は、記憶装置８に記憶されているシステムプログラム及び当該システムプログラムに対応する各種アプリケーションプログラムの中から指定されたアプリケーションプログラムをＲＡＭ６内のプログラム格納領域に格納し、ＧＰＳユニット３、入力部５、及び（通信部９を介して）ＰＤＡ１０から入力される各種指示或いはデータをＲＡＭ６内に格納し、この入力指示或いは入力データに応じて記憶装置８内に格納されたアプリケーションプログラムに従って各種処理を実行し、その処理結果を、ＲＡＭ６内に格納するとともに、ＰＤＡ１０への送信データを、通信部９に送信する。
【００２１】
ＧＰＳユニット（Global Positioning System Unit）３は、車に設置された専用アンテナにより（少なくとも３つ以上の）静止衛星からの電波を受信して、車の位置（経度、緯度）の算出、目的地までの最適な道順の算出、及び目的地までの距離の算出等を行う装置で、その算出結果（以下、この算出結果をＧＰＳ情報と記す）はＣＰＵ２に送られ、ＣＰＵ２は受信した算出結果に関するデータをＲＡＭ６に記憶する。また、通常ＧＰＳユニットはＣＲＴ表示やＬＣＤ表示を行う画像表示装置である表示部を付設しており、上記算出結果を画面上に画像表示させた地図等により視覚的に表示する。また、上記算出結果は必要に（ＰＤＡ１０よりの要求に）応じて通信部９よりＰＤＡ１０に送信される。
【００２２】
尚、通常、ＧＰＳユニット３自体が、専用のＣＰＵ、ＲＡＭ、ＲＯＭ等を備えており、ＣＰＵ２は、専用のＣＰＵに対して演算指令或いは演算結果データの送出指令だけ送り、演算結果を受信してＲＡＭ６に記憶するような構成になっている。
【００２３】
表示部４は、ＣＲＴ表示やＬＣＤ表示を行う画像表示装置により構成され、ＧＰＳユニット３による、車の位置（経度、緯度）、目的地までの最適な道順、及び目的地までの距離、等の算出結果を表示する。
【００２４】
入力部５は、ＧＰＳユニット３への初期設定データ等の各種データの入力や表示部４における表示切替の指示等を入力する入力部である。
【００２５】
ＲＡＭ（Random Access Memory）６は、ＣＰＵ２により演算処理される各種プログラムやデータなどを一時的に記憶する記憶領域からなり、記憶された各種プログラムやデータなどの読み出しも行われる。
【００２６】
ＲＡＭ６には、ＧＰＳユニット３からの、ＧＰＳ情報（車の位置、目的地までの最適な道順、及び目的地までの距離等）に関するデータ、等が一時的に記憶される。
【００２７】
ＲＯＭ(Read Only Memory)７は、ＣＰＵ２からの指示により格納されているデータの読み出しを行う読み出し専用メモリーであり、車の監視制御に関する各種データを処理する専用プログラムが記憶されている。
【００２８】
記憶装置８は、プログラムやデータ等が記憶されている記憶媒体８ａを有しており、この記憶媒体８ａは磁気的、光学的記憶媒体、若しくは半導体メモリにより構成されている。また、記憶媒体８ａは、記憶装置８に固定的に設けたもの、若しくは着脱自在に装着したものである。
【００２９】
この記憶媒体にはシステムプログラム及び当該システムプログラムに対応する各種アプリケーションプログラム、各種データの入力処理、通信処理、検出処理、及び各処理プログラムで処理されたデータ等を記憶する。
【００３０】
尚、この記憶媒体８に記憶するプログラム、データ等は、通信回線等を介して接続された他の機器から受信して記憶する構成にしてもよく、更に、通信回線等を介して接続された他の機器側に上記記憶媒体を備えた記憶装置を設け、この記憶媒体に記憶されているプログラム、データを通信回線を介して使用する構成にしてもよい。
【００３１】
通信部９は、ユーザーの携帯するＰＤＡ１０と近距離での通信（例えば、赤外線通信）を行うための通信装置で、ＰＤＡ１０に対して送信元を特定する信号（例えば、送信元が車であるといった内容の信号）の送信を行う。
【００３２】
図３は、本第１の実施の形態に係わるデータ転送出力システムの構成要素の１つであるＰＤＡ（Personal Digital Assistants）１０の構成の概略を記載したブロック図である。
【００３３】
ＰＤＡ１０は、ＣＰＵ１１、ＰＨＳユニット１２、表示部１３、時計部１４ａ、入力部１４ｂ、ＲＡＭ１５、ＲＯＭ１６、記憶媒体１７ａを備えた記憶装置１７、通信部１８、などから構成されており、これらの各構成装置はバス１０ａを介して相互に接続されている。
【００３４】
ＣＰＵ（Central Processing Unit）１１は、記憶装置１７に記憶されているシステムプログラム及び当該システムプログラムに対応する各種アプリケーションプログラムの中から指定されたアプリケーションプログラムをＲＡＭ１５内のプログラム格納領域に格納し、ＰＨＳユニット１２、計時部１４ａ、入力部１４ｂ、（通信部１８を介して）車の電子制御装置１、及び基地局４１を介してＰＨＳ４０（即ち、サービスセンター２０）、等から入力される各種指示或いはデータをＲＡＭ１５内に格納し、この入力指示或いは入力データに応じて記憶装置１７内に格納されたアプリケーションプログラムに従って各種処理を実行し、その処理結果を、ＲＡＭ１５内に格納するとともに、サービスセンター２０に送信するデータ（文書データや印刷要求データ等）を、ＲＡＭ１５より読み出してＰＨＳユニット１２へ入力する。また、車の電子制御装置１への送信データを、ＲＡＭ１５より読み出して通信部１８に入力する。
【００３５】
ＰＨＳユニット（Personal Handy-phone System Unit）１２は、付設の小型アンテナ１２ａから外部の無線基地局４１に対して、ＣＰＵ１１から入力されるデータ（文書データや印刷要求データ等）を、ＰＨＳの通信プロトコルに基づく電波形態で送信する装置である。
【００３６】
表示部１３は、ＬＣＤ表示やＣＲＴ表示が可能な表示画面を備え、ＣＰＵ１１から入力される各種データをその表示画面で表示する装置である。
【００３７】
時計部１４ａは、計時機能を備えた装置で、計時される時刻に関する情報は表示部１３において表示され、また、ＣＰＵ１１が時刻情報を伴ったデータ（例えば、スケジュールに関するデータ等）の入力、保存などを行うときに、時計部１４ａよりＣＰＵ１１に時刻に関する情報が入力され、ＣＰＵ１１はその入力された時刻情報に基づき前記動作を行う。
【００３８】
入力部１４ｂは、各種のファンクションキーやペン入力を行うための表示画面（この場合の表示画面は表示部１３における表示画面であることが殆どである）等から構成されており、キー入力やペン入力（ペンによる手書き文字認識を含む）により、スケジュール等に関するデータ入力や各種の検索指令の入力、及びＰＤＡ１０の各種の設定入力等を行う入力装置で、キー入力やペン入力された信号をＣＰＵ１１に出力する。
【００３９】
ＲＡＭ１５は、ＣＰＵ１１により演算処理される各種プログラムやデータなどを一時的に記憶する記憶領域からなり、記憶された各種プログラムやデータなどの読み出しも行われる。
【００４０】
ＲＡＭ１５には、入力部１４ｂよりの入力指示或いは入力データ、及び、ＰＨＳユニット１２を通じてサービスセンター２０等から送られてくる各種データ（暗証データを含む）、ＣＰＵ１１が記憶媒体１７ａから読み出したプログラムコードに従って処理した処理結果やスケジュールデータ等が一時的に記憶される。
【００４１】
ＲＯＭ(Read Only Memory)１６は、ＣＰＵ２からの指示により格納されているデータの読み出しを行う読み出し専用メモリーである。
【００４２】
記憶装置１７、プログラムやデータ等が記憶されている記憶媒体１７ａを有しており、この記憶媒体１７ａは磁気的、光学的記憶媒体、若しくは半導体メモリにより構成されている。また、記憶媒体１７ａは、記憶装置１７に固定的に設けたもの、若しくは着脱自在に装着したものである。
【００４３】
この記憶媒体にはシステムプログラム及び当該システムプログラムに対応する各種アプリケーションプログラム、表示処理、通信処理、入力処理及び各処理プログラムで処理されたデータ（スケジュールデータを含む）等を記憶する。
【００４４】
尚、この記憶媒体１７に記憶するプログラム、データ等は、通信回線等を介して接続された他の機器から受信して記憶する構成にしてもよく、更に、通信回線等を介して接続された他の機器側に上記記憶媒体を備えた記憶装置を設け、この記憶媒体に記憶されているプログラム、データを通信回線を介して使用する構成にしてもよい。
【００４５】
通信部１８は、車の電子制御装置１の通信部９と近距離での通信（例えば、赤外線通信）を行うための通信装置で、ユーザーがＰＤＡ１０を携帯して車に乗車した際、電子制御装置１の通信部９から送信されてくる信号（例えば、車であるといった内容の信号）を通信部１８が受信し、受信した信号をＣＰＵ１１に送信することでＰＤＡ１０はユーザーが車に乗ったことを検知する。
【００４６】
図４は、本実施の形態に係わるデータ転送出力システムの構成要素の１つであるサービスセンター２０の構成の概略を記載したブロック図である。
【００４７】
サービスセンター２０は、通信ユニット２１、情報検索装置２２、データベース２３、などから構成されている。
【００４８】
通信ユニット２１は、ＰＤＡ１０からＰＨＳセンター４０を経て送信される文書データ、及びＰＤＡ１０の位置に関するデータ（車中に居る場合にはＧＰＳユニット３による位置情報）を受信し、受信したデータを情報検索装置２２に入力する。また、情報検索装置２２が検索したデータや作成した暗証データ等は、通信ユニット２１を介して、ＰＤＡ１０や印刷装置３０へ送信する。
【００４９】
情報検索装置２２は、内部にＣＰＵ２２ａ、ＲＡＭ２２ｂ、ＲＯＭ２２ｃ、及び記憶媒体２２ｅを有する記憶装置２２ｄ、などから構成されており、これらの各構成装置はバス２２ｆを介して相互に接続されている。
【００５０】
ＣＰＵ（Central Processing Unit）２２ａは、記憶装置２２ｄに記憶されているシステムプログラム及び当該システムプログラムに対応する各種アプリケーションプログラムの中から指定されたアプリケーションプログラムをＲＡＭ２２ｂ内のプログラム格納領域に格納し、通信ユニット２１及びデータベース２３、から入力される各種指示或いはデータをＲＡＭ２２ｂ内に格納して、この入力指示或いは入力データに応じて記憶装置２２ｄ内に格納されたアプリケーションプログラムに従って各種処理を実行し、その処理結果を、ＲＡＭ２２ｂ内に格納するとともに、ＰＤＡ１０や印刷装置３０に送信するデータを、ＲＡＭ２２ｂより読み出して通信ユニット２１へ出力する。
【００５１】
また、ＣＰＵ２２ａは、通信ユニット２１を介して入力されたＰＤＡ１０の位置に関するデータに基づきデータベース２３を検索し、ＰＤＡ１０（即ち、ユーザー）の近くにある印刷装置３０が設置された店舗に関する情報をデータベース２３より抽出して（このとき、ＰＤＡ１０が車中にある場合には店舗としてガソリンスタンドを抽出する）、抽出したデータを通信ユニット２１に出力する。また、通信ユニット２１がＰＤＡ１０から受信したユーザーが指定した印刷装置３０に関する情報を入力すると、パスワード等の暗証データを作成して、文書データと暗証データを通信ユニット２１へ出力する。
【００５２】
ＲＡＭ２２ｂは、ＣＰＵ２２ａにより演算処理される各種プログラムやデータなどを一時的に記憶する記憶領域からなり、記憶された各種プログラムやデータなどの読み出しも行われる。
【００５３】
ＲＡＭ２２ｂには、通信ユニット２１よりの入力データや通信ユニット２１からの出力データ、及びＣＰＵ２２ａが記憶媒体２２ｅから読み出したプログラムコードに従ってデータベース２３から検索抽出したデータ、等が一時的に記憶される。
【００５４】
ＲＯＭ１６は、ＣＰＵ２２ａからの指示により格納されているデータの読み出しを行う読み出し専用メモリーである。
【００５５】
記憶装置２２ｄは、プログラムやデータ等が記憶されている記憶媒体２２ｅを有しており、この記憶媒体２２ｅは磁気的、光学的記憶媒体、若しくは半導体メモリにより構成されている。また、記憶媒体２２ｅは、記憶装置２２ｄに固定的に設けたもの、若しくは着脱自在に装着したものである。
【００５６】
この記憶媒体にはシステムプログラム及び当該システムプログラムに対応する各種アプリケーションプログラム、通信処理、入力処理、検索処理及び各処理プログラムで処理されたデータ等を記憶する。
【００５７】
尚、この記憶媒体２２ｅに記憶するプログラム、データ等は、通信回線等を介して接続された他の機器から受信して記憶する構成にしてもよく、更に、通信回線等を介して接続された他の機器側に上記記憶媒体を備えた記憶装置を設け、この記憶媒体に記憶されているプログラム、データを通信回線を介して使用する構成にしてもよい。
【００５８】
データベース２３は、サービスセンター２０が提供する印刷装置３０を設置している各種店舗（例えば、近隣地域のコンビニやガソリンスタンド）及び該当店舗での印刷サービスに関する情報の統合化されたデータファイルの集まりである。
【００５９】
図５は、サービスセンター２０のデータベース２３に格納されているファイル内容の具体例を記載した図である。
【００６０】
図５記載のファイル内容は、印刷装置３０を設置して印刷サービスを提供する各種店舗及び当該店舗での印刷サービスに関する情報である。
【００６１】
出力先の項目には店舗名に関するデータが、場所の項目には当該店舗の所在地に関するデータが、料金の項目には印刷物１枚当たりの料金に関するデータが、種類の項目には当該店舗の営業内容による分類（例えば、種類Ｘはコンビニ関係の店舗、種類Ｙはガソリンスタンド関係の店舗等）に関するデータが、利用時間の項目には当該店舗の営業時間に関するデータが、それぞれ記憶されている。
【００６２】
例えば、Ａストアのデータに関して具体的に見てみると、Ａストアの所在地は、×区××２−１であり、印刷料金は１枚当たり１０円で、店舗の営業内容は種類Ｘ（コンビニ）に分類され、２４時間営業している。
【００６３】
次に、本実施の形態の作用について説明する。
【００６４】
図６は、ユーザーがＰＤＡ１０で文書を制作してから印刷された文書を受け取るまでの、ＰＤＡ１０、サービスセンター２０、及びユーザーが指定した印刷装置３０の間のデータのやり取りを時系列的に記載した図である。
【００６５】
先ず、ユーザーがＰＤＡ１０により文書を作成する（ステップＰ１）。そして、作成した文書を印刷するための出力依頼、即ちユーザーが作成文書を出力するためにＰＤＡ１０の入力部１４ｂより入力操作を行い（ステップＰ２）、このとき、ＰＤＡ１０が車中にある場合には、車の電子制御装置１からＧＰＳ情報を取得する（ステップＰ３）。そして、文書データを（ＰＤＡ１０が車中にある場合にはＧＰＳデータも）、ＰＨＳセンター４０を介してサービスセンター２０に送信する（ステップＰ４）。
【００６６】
サービスセンター２０は、通信ユニット２１を通じてＰＤＡ１０からのデータを受信し（ステップＱ１）、情報検索装置２２が、受信したＰＤＡ１０の位置情報（ＰＤＡ１０が車中の場合にはＧＰＳ情報）に基づいて、データベース２３を検索して印刷候補場所を選択する（ステップＱ２）。そして、選択した印刷候補場所に関するデータをＰＤＡ１０に送信する（ステップＱ３）。
【００６７】
ＰＤＡ１０は、サービスセンターから受信した印刷候補場所を表示部１３にて表示し（ステップＰ５）、ユーザーが表示されている印刷候補場所から印刷場所を指定すると、ＰＤＡ１０から指定された印刷場所に関するデータがサービスセンター２０に送信される（ステップＰ６）。
【００６８】
サービスセンター２０は、指定された印刷場所に関するデータを受信すると（ステップＱ４）、暗証データとしてのパスワードを、例えばＰＤＡ１０の端末番号を基に計算し（ステップＱ５）、通信ユニットを通じて、印刷装置３０へは文書データとパスワードを送信し（ステップＱ６）、ＰＤＡ１０にはパスワードを送信する（ステップＱ７）。尚、このとき、文書データをサービスセンター２０を介さず、ＰＤＡ１０から直接、指定した印刷装置３０へ送信するような構成でもよい。
【００６９】
指定された印刷装置３０は、サービスセンター２０から文書データ及びパスワードを受信し（ステップＲ１）、受信した文書データを印刷出力する（ステップＲ２）。また、ＰＤＡ１０は、サービスセンター２０からパスワードを受信する（ステップＰ７）。
【００７０】
そして、指定した印刷装置３０が設置されている店舗において、パスワードを確認後、ユーザーに印刷物を渡す（ステップＲ３）。
【００７１】
図７は、サービスセンター２０が、ＰＤＡ１０からの文書データ（ＧＰＳデータを含む）を受信し、文書データの印刷場所候補を選択する際に行うサブルーチンのフローチャートである。
【００７２】
尚、このフローチャートに記載した各機能を実現するプログラムはサービスセンター２０の情報検索装置２２のＣＰＵ２２ａが読み取り可能なプログラムコードの形態で情報検索装置２２の記憶媒体２２ｅに記憶されている。
【００７３】
先ず、ステップＳ１において、現在の時間を調べて、ステップＳ２に移行する。ステップＳ２では、文書データの出力先となる現在の時間に印刷サービスを行っている店舗を選び出し、ステップＳ３に移行する。
【００７４】
ステップＳ３では、サービスセンター２０がＰＤＡ１０からＧＰＳに関するデータを受信しているかどうかを判別して、ＧＰＳに関するデータを受信している場合には、ステップＳ４に移行し、ＧＰＳに関するデータを受信していない場合には、ステップＳ５に移行する。
【００７５】
ステップＳ４では、ＧＰＳ３に関するデータを受信している場合には、ＰＤＡ１０を携帯しているユーザーは車中にいることになるので、データベース２３において印刷サービスを行っている種類Ｙの店舗（ガソリンスタンド）に関する情報を優先して検索し、ステップＳ６に移行する。
【００７６】
ステップＳ５では、ＧＰＳ３に関するデータを受信していない場合には、ＰＨＳの位置情報、即ちユーザーの居る位置情報に基づき、データベース２３において近くにある印刷サービスを行っている店舗に関する情報を検索し、ステップＳ６に移行する。
【００７７】
ステップＳ６では、検索結果を整理してＰＤＡ１０に送信できるデータ構成にして、メインフローにリターンされる。
【００７８】
以上のように、第１の実施の形態においては、ＰＤＡ１０において作成された文書データ（ＰＤＡ１０が車中にある場合にはＧＰＳデータも）を、ＰＨＳセンター４０を介してサービスセンター２０に送信し、サービスセンター２０はデータベース２３よりＰＤＡ１０の近くにある印刷装置３０が設置してある印刷候補場所となる店舗（車中の場合にはガソリンスタンド）に関する情報を選び出して、その情報をＰＤＡ１０に送信する。そして、ユーザーはＰＤＡ１０に表示された印刷候補場所の中から印刷場所を指定すると、サービスセンター２０から指定の印刷装置３０に文書データを転送して、印刷出力を行うことが可能となる。
【００７９】
［第２の実施の形態］
ＰＤＡ１０から送られてきたデータに基づき、サービスセンター２０において候補となる印刷場所を選択する際、第１の実施の形態では、ＰＤＡ１０からサービスセンター２０に文書データとともにＰＤＡ１０の位置情報（或いは車中にいる場合にはＧＰＳ３からの情報）を一緒に送信して、ＰＤＡ１０（ユーザー）の現在位置の近くにある印刷装置３０を選択したが、第２の実施の形態では、ＰＰＤＡ１０に記憶されているユーザーのスケジュールから判明する訪問先等の移動予定場所に関する情報を文書データと一緒にサービスセンター２０に送り、サービスセンター２０では、移動予定場所の近くにある印刷装置３０を選択するようにした。
【００８０】
尚、ユーザーのスケジュールから判明する移動予定場所に関する情報に基づき、印刷候補場所を選択する事柄に関すること以外は、第１の実施の形態と同様とする。
【００８１】
図８は、ユーザーがＰＤＡ１０で文書を制作してから印刷された文書を受け取るまでの、ＰＤＡ１０、サービスセンター２０、及びユーザーが指定した印刷装置３０の間のデータのやり取りを時系列的に記載した図である。
【００８２】
先ず、ユーザーがＰＤＡ１０により文書を作成する（ステップＰ'１）。そして、作成した文書を印刷するための出力依頼、即ちユーザーが作成文書を出力するためにＰＤＡ１０の入力部１４ｂより入力操作を行い（ステップＰ'２）、このとき、ＲＡＭ６に記憶されているスケジュールデータから現在時刻から推定される次のスケジュール情報を取得する（ステップＰ'３）。そして、文書データとスケジュールから判明する次の移動予定場所（例えば、次の訪問先）のデータを、ＰＨＳセンター４０を介してサービスセンター２０に送信する（ステップＰ'４）。
【００８３】
サービスセンター２０は、通信ユニット２１を通じてＰＤＡ１０からのデータを受信し（ステップＱ'１）、情報検索装置２２が、受信した次の移動予定場所のデータに基づいて、データベース２３を検索して印刷候補場所を選択する（ステップＱ'２）。そして、選択した印刷候補場所に関するデータをＰＤＡ１０に送信する（ステップＱ'３）。
【００８４】
ＰＤＡ１０は、サービスセンターから受信した印刷候補場所を表示部１３にて表示し（ステップＰ'５）、ユーザーが表示されている印刷候補場所から印刷場所を指定すると、ＰＤＡ１０から指定された印刷場所に関するデータがサービスセンター２０に送信される（ステップＰ'６）。
【００８５】
サービスセンター２０は、指定された印刷場所に関するデータを受信すると（ステップＱ'４）、暗証データとしてのパスワードを、例えばＰＤＡ１０の端末番号を基に計算し（ステップＱ'５）、通信ユニットを通じて、印刷装置３０へは文書データとパスワードを送信し（ステップＱ'６）、ＰＤＡ１０にはパスワードを送信する（ステップＱ'７）。尚、このとき、文書データをサービスセンター２０を介さず、ＰＤＡ１０から直接、指定した印刷装置３０へ送信するような構成でもよい。
【００８６】
指定された印刷装置３０は、サービスセンター２０から文書データ及びパスワードを受信し（ステップＲ'１）、受信した文書データを印刷出力する（ステップＲ'２）。また、ＰＤＡ１０は、サービスセンター２０からパスワードを受信する（ステップＰ'７）。
【００８７】
そして、指定した印刷装置３０が設置されている店舗において、パスワードを確認後、ユーザーに印刷物を渡す（ステップＲ'３）。
【００８８】
図９は、サービスセンター２０が、ＰＤＡ１０からの文書データ（スケジュールに記憶の訪問先等の移動場所に関するデータを含む）を受信し、文書データの印刷場所候補を選択する際（ステップＱ'２）に行うサブルーチンのフローチャートである。
【００８９】
尚、このフローチャートに記載した各機能を実現するプログラムはサービスセンター２０の情報検索装置２２のＣＰＵ２２ａが読み取り可能なプログラムコードの形態で情報検索装置２２の記憶媒体２２ｅに記憶されている。
【００９０】
ステップＴ１では、ＰＤＡ１０から受信した訪問先等の移動予定場所に関するデータに基づき、データベース２３を検索して、ステップＴ２に移行し、ステップＴ２では、検索結果を整理してＰＤＡ１０に送信できるデータ構成にして、ステップＱ'３にリターンされる。
【００９１】
以上のように、第２の実施の形態においては、ＰＤＡ１０において作成された文書データを、スケジュールから判明する次の移動予定場所に関するデータとともに、ＰＨＳセンター４０を介してサービスセンター２０に送信し、サービスセンター２０はデータベース２３より次の移動予定場所の近くにある印刷装置３０が設置してある印刷候補場所となる店舗に関する情報を選び出して、その情報をＰＤＡ１０に送信する。そして、ユーザーはＰＤＡ１０に表示された印刷候補場所の中から印刷場所を指定すると、サービスセンター２０から指定の印刷装置３０に文書データを転送して、印刷出力を行うことが可能となる。
【００９２】
【発明の効果】
請求項１の発明によれば、依頼要求を行なったユーザが、車中に居ることを条件にして、それに応じた基準で店舗検索を行なって店舗の絞込みを行なった結果を候補としてユーザに対して提供することができ、その提供した候補の中でユーザが指定した店舗に設置される印刷装置に対して、ユーザ指定の印刷データを直ちに転送するようにしたので、当該ユーザがその指定店舗に出むいた際は、当該印刷装置を介しての印刷物を直ちに手に入れることができる。
【図面の簡単な説明】
【図１】本実施の形態に係わるデータ転送出力システムの全体の概略構成を記載したブロック図である。
【図２】本実施の形態に係わるデータ転送出力システムの構成要素の１つである車の電子制御装置１の構成の概略を記載したブロック図である。
【図３】本実施の形態に係わるデータ転送出力システムの構成要素の１つであるＰＤＡ（Personal Digital Assistants）１０の構成の概略を記載したブロック図である。
【図４】本実施の形態に係わるデータ転送出力システムの構成要素の１つであるサービスセンター２０の構成の概略を記載したブロック図である。
【図５】サービスセンター２０のデータベース２１に格納されているファイル内容の具体例を記載した図である。
【図６】ユーザーがＰＤＡ１０で文書を制作してから印刷された文書を受け取るまでの、ＰＤＡ１０、サービスセンター２０、及びユーザーが指定した印刷装置３０の間のデータのやり取りを時系列的に記載した図である。
【図７】サービスセンター２０が、ＰＤＡ１０からの文書データ（ＧＰＳデータを含む）を受信し、文書データの印刷場所候補を選択する際に行うサブルーチンのフローチャートである。
【図８】ユーザーがＰＤＡ１０で文書を制作してから印刷された文書を受け取るまでの、第２の実施の形態に関わる、ＰＤＡ１０、サービスセンター２０、及びユーザーが指定した印刷装置３０の間のデータのやり取りを時系列的に記載した図である。
【図９】サービスセンター２０が、ＰＤＡ１０からの文書データ（スケジュールに記憶の訪問先等の移動場所に関するデータを含む）を受信し、文書データの印刷場所候補を選択する際に行うサブルーチンのフローチャートである。
【符号の説明】
１  車の電子制御装置
１０  ＰＤＡ
２０  情報サービスセンター
２４  ネットワーク
３０  印刷装置
４０  ＰＨＳセンター
４１  無線基地局
【図１】
0003639925.tif 000002
【図２】
0003639925.tif 000003
【図３】
0003639925.tif 000004
【図４】
0003639925.tif 000005
【図５】
0003639925.tif 000006
【図６】
0003639925.tif 000007
【図７】
0003639925.tif 000008
【図８】
0003639925.tif 000009
【図９】
0003639925.tif 000010